(57)【要約】  【課題】  ユーザの意識が再生されている音情報に集中して聴取している時に、別の付加する音情報をユーザに気づかせるようにする。  【解決手段】  元々再生されている音情報再生音の電気信号が音信号読み出し装置１から音信号レベル調節装置１１に入力され、音信号加算装置１３を経由して、発音装置１４から発音される。例えば、電話の着信音などの音信号が発生した場合、その信号は音信号読み出し装置２から音信号レベル調節装置１２を経由して音信号加算装置１３に入力され、再生されている音情報の電気信号とミキシングされる。このときの制御はコントローラ１５により行われる。  【選択図】  図１
2005252324.tif 000002
【特許請求の範囲】
【請求項１】
音情報呈示装置において、
元々再生されている音情報の電気信号に別の音情報の電気信号をミキシングする手段と、
元々再生されている音情報の電気信号レベルをあらかじめ定めた基準レベル以下になるように抑制する手段と、
ミキシングされた電気信号を音として再生する手段と、
を有することを特徴とする音情報聴取時の音情報追加呈示装置。
【請求項２】
音情報呈示装置において、
元々再生されている音情報の電気信号に別の音情報の電気信号をミキシングする手段と、
ミキシング後の電気信号レベルを計測する手段と、
計測された結果があらかじめ定めた基準レベル以下になるように元々再生されている音情報の電気信号レベルを抑制する手段と、
ミキシングされた電気信号を音として再生する手段と、
を有することを特徴とする音情報聴取時の音情報追加呈示装置。
【請求項３】
請求項１，２のいずれかに記載の音情報聴取時の音情報追加呈示装置において、
元々再生されている音情報の電気信号レベル抑制と同時に、付加する音情報の電気信号レベルを増減する手段、
を有することを特徴とする音情報聴取時の音情報加呈示装置。
【請求項４】
請求項１、２および３のいずれかに記載の音情報聴取時の音情報追加呈示装置において、
抑制基準とするレベル、元々再生されている音情報の電気信号レベルと付加する音情報の信号レベルとのバランス、あるいはその両方を一回以上変化させる手段、
を有することを特徴とする音情報聴取時の音情報追加呈示装置。
【請求項５】
複数チャンネルを用いた音情報呈示装置において、
元々再生されている音情報のひとつ以上のチャンネルの電気信号に別の音情報の電気信号をミキシングする手段と、
追加音情報をミキシングする少なくともひとつ以上のチャンネルの選択、追加音情報のチャンネルごとの信号レベル、あるいはその両方を一回以上変化させる手段と、
ミキシングされた電気信号を音として再生する手段と、
を有することを特徴とする音情報聴取時の音情報追加呈示装置。
【請求項６】
請求項５に記載の音情報聴取時の音情報追加呈示装置において、追加音情報のチャンネルごとの信号レベルを決定するにあたり、あらかじめ用意した頭部伝達関数にしたがって周波数帯域ごとに信号レベルを決定する手段、を有することを特徴とする音情報聴取時の音情報追加呈示装置。
【請求項７】
請求項１，２，３，４のいずれかと、請求項５，６のいずれかを複合することを特徴とする音情報聴取時の音情報追加呈示装置。
【請求項８】
請求項１，２，３，４，５，６，７のいずれかに記載の音情報聴取時の音情報追加呈示装置において、
その処理をキャンセルするスイッチを有することを特徴とする音情報聴取時の音情報追加呈示装置。
【発明の詳細な説明】
【技術分野】
【０００１】
本発明は、メディア記録された元々再生されている音楽などの音情報、あるいは配信された元々再生されている音楽などの音情報を聴取可能な形で再生する音情報聴取時の音情報追加呈示装置に関するものである。
【背景技術】
【０００２】
定常的な周囲の環境音によるマスキングを考慮して警報音の音量を制御する方法がISO-7731に規定されている。すなわち、周囲の環境音に応じて警報音の音量を周波数帯域ごとに制御することで警報音全体の音量を小さくする。
【０００３】
また、動的に変化する周囲の環境音に応じて警報音の音量を周波数帯域ごとに制御する方法もある（例えば、特許文献１参照）。
【特許文献１】特開２００２−２３０６６９号公報
【発明の開示】
【発明が解決しようとする課題】
【０００４】
しかし、元々再生されている音情報を聴きながら、電話の着信音や、機器あるいはネットワークサービスによる情報提供に気づくことに対する支援は存在していない。
【０００５】
例えば、NTTDoCoMoとSONYは、携帯電話SO502iWMにおいて、音楽をききながら電話を着信できる機器を提供しているが、「気づく」ことへの積極的な配慮が認められていない問題がある。
【０００６】
本発明は、上記の事情に鑑みてなされたもので、ユーザの意識が元々再生されている音情報に集中して聴取している時に、別の付加する音情報を与える機会をつくりだして、そうした情報が存在することをユーザに気づかせるための有効な手段を得ることができる音情報聴取時の音情報追加呈示装置を提供することを課題とする。
【課題を解決するための手段】
【０００７】
本発明は、上記の課題を達成するために、音情報呈示装置において、元々再生されている音情報の電気信号に別の音情報の電気信号をミキシングする手段と、元々再生されている音情報の電気信号レベルをあらかじめ定めた基準レベル以下になるように抑制する手段と、ミキシングされた電気信号を音として再生する手段と、を有することを特徴とするものである。
【０００８】
あるいは、元々再生されている音情報の電気信号に別の音情報の電気信号をミキシングする手段と、ミキシング後の電気信号レベルを計測する手段と、計測された結果があらかじめ定めた基準レベル以下になるように元々再生されている音情報の電気信号レベルを抑制する手段と、ミキシングされた電気信号を音として再生する手段と、を有することを特徴とするものである。
【０００９】
あるいは、元々再生されている音情報の電気信号レベル抑制と同時に、付加する音情報の電気信号レベルを増減する手段、を有することを特徴とするものである。
【００１０】
あるいは、抑制基準とするレベル、元々再生されている音情報の電気信号レベルと付加する音情報の信号レベルとのバランス、あるいはその両方を一回以上変化させる手段、を有することを特徴とするものである。
【００１１】
また、複数チャンネルを用いた音情報呈示装置において、元々再生されている音情報のひとつ以上のチャンネルの電気信号に別の音情報の電気信号をミキシングする手段と、追加音情報をミキシングする少なくともひとつ以上のチャンネルの選択、追加音情報のチャンネルごとの信号レベル、あるいはその両方を一回以上変化させる手段と、ミキシングされた電気信号を音として再生する手段と、を有することを特徴とするものである。
【００１２】
あるいは、追加音情報のチャンネルごとの信号レベルを決定するにあたり、あらかじめ用意した頭部伝達関数にしたがって周波数帯域ごとに信号レベルを決定する手段、を有することを特徴とするものである。
【００１３】
あるいは、上記を要件を複合することを特徴とするものであり、また、その処理をキャンセルするスイッチを有することを特徴とするものである。
【００１４】
なお、音情報呈示装置において、元々呈示されている音情報と新たに呈示する音情報とを総合的に計測・制御し、音量あるいは音の聴こえる方向に動的な変化を与えることを特徴とする。
【００１５】
ここで、「気づく」とは、意識にのぼることである。音刺激が意識にのぼるためには、大脳皮質まで刺激が到達する必要がある。ＦＭニューロンなどの働きにより、人間の聴覚は刺激の変化をフィルタリングしており、変化分のみが大脳皮質に到達する。したがって、音刺激に気づかせるためには、常に変化しつづける非定常刺激を与えることが有効である。
【発明の効果】
【００１６】
以上述べたように、本発明によれば、付加する音情報に対して相対的に元々再生されている音情報音量を抑制する手段、付加する音情報の音量あるいは音の聴こえる方向を変化させる手段のひとつ以上を複合させることによって、付加する音情報による聴覚刺激が大脳皮質まで達して付加する音情報の存在が意識にのぼることを効果的に実現することができる。
【発明を実施するための最良の形態】
【００１７】
以下本発明の実施の形態を図面に基づいて説明する。図１は本発明の実施の第１形態を示すブロック構成図で、図1において、元々再生されている音情報再生音に付加する音信号が存在しない場合は、元々再生されている音情報再生音の電気信号が音信号読み出し装置１から音信号レベル調節装置１１に入力され、音信号加算装置１３を経由して、そのまま発音装置１４に出力されて発音される。この例であげるチャンネル数は、モノラル再生の場合であり、ステレオ再生、サラウンド再生などほかの方法でも同様である。
【００１８】
電話の着信音やアナウンスの音声情報などの音信号が新規に発生した場合、その電気信号は音信号読み出し装置２から音信号レベル調節装置１２を経由して、音信号加算装置１３に入力され、元々再生されている音情報の電気信号とミキシングされる。そのとき、同時に音信号読み出し装置２からの電気信号はコントローラ１５に入力され、新規の電気信号が発生した際の処理にトリガーがかかる。
【００１９】
すなわち、コントローラ１５は、まずメモリ１６にアクセスしてメモリ１６に、あらかじめ蓄えられている基準レベルＡのデータを得る。次に、コントローラ１５は、音信号レベル調節装置１１から音信号加算装置１３に向けて出力する電気信号レベルが、獲得した基準レベルＡを越えることのないように音信号レベル調節装置１１を制御して、元々再生されている音情報の電気信号レベルを抑制する。
【００２０】
音信号レベル調節装置１１，１２から出力された電気信号は、音信号加算装置１３で加算され、発音装置１４に出力されて発音される。このとき、新規に発生した音信号のレベルを同様にあるいは独立して制御してもよい。
【００２１】
図２は本発明の実施の第２形態を示すブロック構成図で、図2において、図1と同一部分は同一符号を付して説明する。図２において、元々再生されている音情報再生音に付加する音信号が存在しない場合は、元々再生されている音情報再生音の電気信号が音信号読み出し装置１から音信号レベル調節装置１１に入力され、音信号加算装置１３を経由して、そのまま、発音装置１４に出力されて発音される。この例であげるチャンネル数はモノラル再生の場合であり、ステレオ再生、サラウンド再生などほかの方法でも同様である。
【００２２】
電話の着信音やアナウンスの音声情報などの音信号が新規に発生した場合、その電気信号は音信号読み出し装置２から音信号レベル調節装置１２を経由して音信号加算装置１３に入力され、元々再生されている音情報の電気信号とミキシングされる。そのとき同時に音信号読み出し装置２からの電気信号はコントローラ１５に入力され、新規の電気信号が発生した際の処理にトリガーがかかる。
【００２３】
すなわち、コントローラ１５は、まずメモリ１６にアクセスしてメモリ１６にあらかじめ蓄えられている基準レベルＢのデータを得る。次に、コントローラ１５は、音信号レベル調節装置１１から音信号加算装置１３に向けて出力する電気信号レベルが獲得した基準レベルＢを越えることのないように音信号レベル調節装置１１を制御して、元々再生されている音情報の電気信号レベルを抑制する。
【００２４】
音信号レベル調節装置１１，１２から出力された電気信号は音信号加算装置１３で加算され、発音装置１４で音として再生されると同時に、音信号レベル計測装置１７に入力される。この音信号レベル計測装置１７は、その計測値Ｃをコントローラ１５に入力し、コントローラ１５のフィードバック処理にトリガーをかける。
【００２５】
すなわち、コントローラ１５は、まずメモリ１６にアクセスしてメモリ１６にあらかじめ蓄えられている基準レベルＤのデータを得る。次にコントローラ１５は、計測値Ｃで基準レベルＤを除した割合Ｅを音信号レベル調節装置１１に入力し、出力される音信号レベルを現在値の割合Ｅとなるよう制御する。このフィードバック処理によって発音装置１４から発音される再生音のレベルが抑制される。
【００２６】
このフィードバック処理は複数回繰り返すこともできる。このとき、新規に発生した音信号のレベルを同様にあるいは独立して制御してもよい。
【００２７】
図３は本発明の実施の第３形態を示すブロック構成図で、この第３形態は、図１、図２と同一部分には同一符号を付して説明する。第３形態は、図２に示す第２形態にタイマー１８を付加し、コントローラ１５の働きを時間的に変化させることを可能にした例である。これにより、最終出力される再生音レベルを時間的に変化させることが可能になる。
【００２８】
図４は本発明の実施の第４形態を示すブロック構成図で、図４において、元々再生されている音情報再生音に付加する音信号が存在しない場合は、元々再生されている音情報再生音のチャンネルＬの電気信号が音信号読み出し装置１Ｌから音信号加算装置１３Ｌに入力され、そのまま、発音装置１４Ｌに出力されて発音される。
【００２９】
また元々再生されている音情報再生音のチャンネルＲについても同様に発音される。この例であげるチャンネル数はステレオ再生の場合であるが、３チャンネル以上の再生、サラウンド再生などほかの方法でも同様に行うことができる。
【００３０】
電話の着信音やアナウンスの音声情報などの音信号が新規に発生した場合、その電気信号は音信号読み出し装置２Ｌならびに２Ｒから音信号レベル調節装置１２Ｌならびに１２Ｒを経由して、音信号加算装置１３Ｌならびに１３Ｒに入力され、元々再生されている音情報の電気信号とミキシングされる。そのとき、同時に音信号読み出し装置２Ｌならびに２Ｒからの電気信号はコントローラ１５に入力され、新規の電気信号が発生した際の処理にトリガーがかかる。
【００３１】
すなわち、コントローラ１５は、まずメモリ１６にアクセスしてメモリ１６にあらかじめ蓄えられている基準レベルＦならびにＧのデータを得る。次に、コントローラ１５は、音信号レベル調節装置１２Ｌならびに１２Ｒから音信号加算装置１３Ｌならびに１３Ｒに向けて出力する電気信号レベルが獲得した基準レベルＦならびにＧを越えることのないように、音信号レベル調節装置１２Ｌならびに１２Ｒをチャンネルごとに独立に制御して、新規に発生した音情報の電気信号レベルを抑制する。
【００３２】
音信号レベル調節装置１２Ｌならびに１２Ｒから出力された電気信号は、音信号読み出し装置１Ｌならびに１Ｒから出力された電気信号と音信号加算装置１３Ｌならびに１３Ｒでそれぞれ加算され、発音装置１４Ｌ，１４Ｒで音として再生されると同時に、音信号レベル計測装置１７Ｌならびに１７Ｒに入力される。
【００３３】
音信号レベル計測装置１７Ｌならびに１７Ｒは、その計測値ＨならびにＩをコントローラ１５に入力し、コントローラ１５のフィードバック処理にトリガーをかける。すなわち、コントローラ１５は、まずメモリ１６にアクセスしてメモリ１６にあらかじめ蓄えられている基準レベルＪならびにＫのデータを得る。
【００３４】
次にコントローラ１５は、計測値Ｈで基準レベルＪを除した割合Ｍ、計測値Ｉで基準レベルＫを除した割合Ｎを音信号レベル調節装置２Ｌならびに２Ｒにそれぞれ入力し、出力される音信号レベルを現在値の割合Ｍならびに割合Ｎとなるようそれぞれ独立に制御する。
【００３５】
このフィードバック処理によって発音装置１４Ｌ並びに１４Ｒから発音される再生音のレベルがチャンネルごとに独立に抑制される。このフィードバック処理は複数回繰り返すこともできる。
【００３６】
また、タイマー１８により、コントローラ１５の働きを時間的に変化させ、最終出力される再生音レベルを時間的に変化させることが可能になる。
【００３７】
図５は本発明の実施の第５形態を示すブロック構成図で、この第５形態は、図４に示す第４形態のうち、音信号レベル調節装置１２Ｌ，１２Ｒを周波数帯域ごと音信号レベル調節装置２２Ｌ，２２Ｒとし、周波数帯域ごとに音信号レベルを調節することを可能にした例である。メモリ１６に頭部伝達関数データをあらかじめ蓄積しておき、周波数に対応したレベル調節を行うことにより、再生音の聞こえてくる方向を任意に設定することが可能になる。
【００３８】
また、タイマー１８によって処理内容を時間的に変化させ、音の方向や強さを変化させることが可能になる。
【図面の簡単な説明】
【００３９】
【図１】本発明の実施の第１形態を示すブロック構成図。
【図２】本発明の実施の第２形態を示すブロック構成図。
【図３】本発明の実施の第３形態を示すブロック構成図。
【図４】本発明の実施の第４形態を示すブロック構成図。
【図５】本発明の実施の第５形態を示すブロック構成図。
【符号の説明】
【００４０】
１，１Ｌ，１Ｒ，２，２Ｌ，２Ｒ…音信号読み出し装置
１１，１２，１１Ｌ，１２Ｒ…音信号レベル調節装置
１３，１３Ｌ，１３Ｒ…音信号加算装置
１４，１４Ｌ，１４Ｒ…発音装置
１５…コントローラ
１６…メモリ
１７，１７Ｌ，１７Ｒ…音信号レベル計測装置
１８…タイマー
２２Ｌ，２２Ｒ…周波数帯域ごと音信号レベル調節装置
【図１】
2005252324.tif 000003
【図２】
2005252324.tif 000004
【図３】
2005252324.tif 000005
【図４】
2005252324.tif 000006
【図５】
2005252324.tif 000007